(57)【要約】      （修正有）【課題】ドレンホースを介するドレン水の円滑な流れを促すとともに、搬送にも適したエアコン用スリーブを提供する。【解決手段】壁部の冷媒配管ドレンホース貫通孔に設置され、内方にドレンホースが挿通配置されるエアコン用スリーブＳである。壁部内方側に配置される内方側端部１１と壁部外方側に配置される外方側端部１２とを有する円筒状の本体部１と、壁部内方側に設けられ、壁部の冷媒配管ドレンホース貫通孔周囲部に係止するフランジ部２と、本体部の周面部１ｓにその周方向に形成されるとともに、軸方向に沿って複数設けられた長さ調整のための切取用溝部ｇとを有する。本体部の周面部を内方側端部から外方側端部に向けて傾斜させ、本体部の内方側端部の径を外方側端部の径よりも大きく形成する。【選択図】図１
0003235418.tif 000002
【実用新案登録請求の範囲】
【請求項１】
建物の壁部に設けられた空調機の冷媒配管ドレンホース貫通孔に設置され、内方に前記空調機のドレンホースが挿通配置されるエアコン用スリーブであって、壁部内方側に配置される内方側端部と壁部外方側に配置される外方側端部とを有する円筒状の本体部と、前記壁部内方側に設けられ、前記壁部の冷媒配管ドレンホース貫通孔周囲部に係止するフランジ部と、前記本体部の周面部にその周方向に形成されるとともに、軸方向に沿って複数設けられた前記本体部の長さ調整のための切取用溝部とを有するエアコン用スリーブにおいて、
前記本体部は、前記周面部が前記内方側端部から前記外方側端部に向けて傾斜するとともに、前記内方側端部の径が前記外方側端部の径よりも大きく形成されていることを特徴とするエアコン用スリーブ。
【請求項２】
前記本体部の周面部は、前記内方側端部から前記外方側端部に向けて径寸法が次第に小さくなるようにテーパが付され、全体として円錐台形状をなすことを特徴とする、
請求項１に記載のエアコン用スリーブ。
【請求項３】
前記本体部は、前記冷媒配管ドレンホース貫通孔に設置された場合に、前記外方側端部が前記内方側端部よりも下方に位置する勾配を有することを特徴とする、
請求項１または２に記載のエアコン用スリーブ。
【請求項４】
前記勾配は、１５％であることを特徴とする、
請求項３に記載のエアコン用スリーブ。
【請求項５】
前記切取用溝部は、横断面がＶ字状をなすことを特徴とする、
請求項１〜５のいずれか一項に記載のエアコン用スリーブ。
【考案の詳細な説明】
【技術分野】
【０００１】
本考案は、空調機のドレン水を屋外に排出する際に用いられるエアコン用スリーブに関する。
【背景技術】
【０００２】
空調機を設置する際に、室内機から出るドレン水を屋外に排出するため、建物の壁部にこの壁部を内外に貫通する貫通孔を形成し、室内機と室外機とをつなぐ冷媒配管及びドレンホースの貫通孔を介して屋外に引き出す。ここで、一般的には、貫通孔にエアコン用スリーブを設置し、ドレンホースをエアコン用スリーブの内部を通すようにして配設する（特許文献１）。
【先行技術文献】
【特許文献】
【０００３】
【特許文献１】実用新案登録第３２０７５５２号公報（段落０００２）
【考案の概要】
【考案が解決しようとする課題】
【０００４】
しかし、従来のエアコン用スリーブは、円筒状の本体部と、本体部の室内側の端縁に設けられたスリーブ部とを有し、本体部がスリーブ部に対して垂直であるとともに、本体部が軸方向の全体に亘って同一径であるため、壁部の貫通孔に対し、スリーブ部が壁部の貫通孔周囲部を係止する状態で配置された場合に、エアコン用スリーブの本体部が壁部に対して垂直な状態、つまり、本体部が水平な状態となる。これにより、エアコン用スリーブの内部でドレンホースも水平または水平に近い状態で配置されることとなるため、室内側から屋外側へドレンホースを介してドレン水を円滑に流すことができないという問題があった。
【０００５】
さらに、エアコン用スリーブの本体部が全体に亘って同一径であるため、複数のエアコン用スリーブを互いに入れ子式に積み重ねることができず、これら複数のエアコン用スリーブが搬送時に占める空間が大きくなるとともに、搬送に伴う作業が繁雑になりがちであるという問題もあった。
【０００６】
このような実情に鑑み、本考案は、ドレンホースを介するドレン水の円滑な流れを促すとともに、搬送にも適したエアコン用スリーブを提供することを目的とする。
【課題を解決するための手段】
【０００７】
請求項１に記載の考案は、建物の壁部に設けられた空調機の冷媒配管ドレンホース貫通孔に設置され、内方にこの空調機のドレンホースが挿通配置されるエアコン用スリーブであって、壁部内方側に配置される内方側端部と壁部外方側に配置される外方側端部とを有する円筒状の本体部と、壁部内方側に設けられ、壁部の冷媒配管ドレンホース貫通孔周囲部に係止するフランジ部と、本体部の周面部にその周方向に形成されるとともに、軸方向に沿って複数設けられた長さ調整のための切取用溝部とを有するエアコン用スリーブにおいて、本体部の周面部を内方側端部から外方側端部に向けて傾斜させ、本体部の内方側端部の径を外方側端部の径よりも大きく形成したことを特徴とする。
【０００８】
請求項２に記載の考案にあっては、本体部の周面部に対し、内方側端部から外方側端部に向けて径寸法が次第に小さくなるようにテーパが付され、全体として円錐台形状に形成したことを特徴とする。
【０００９】
請求項３に記載の考案にあっては、本体部に対し、冷媒配管ドレンホース貫通孔に設置された場合に、外方側端部が内方側端部よりも下方に位置する勾配を付したことを特徴とする。
【００１０】
請求項４に記載の考案にあっては、本体部の勾配を１５％であることを特徴とする。
【００１１】
請求項５に記載の考案にあっては、切取用溝部の横断面をＶ字状をなすことを特徴とする。
【考案の効果】
【００１２】
請求項１に記載の考案によれば、エアコン用スリーブは、本体部の周面部が内方側端部から外方側端部に向けて傾斜することで、建物の壁部に設けられた冷媒配管ドレンホース貫通孔に設置された状態で、本体部、特にその周面部が室内側から屋外側に向けて下方に傾斜する。これにより、ドレンホースは、エアコン用スリーブの内方に挿通配置された場合に、エアコン用スリーブの内周面に沿って下方に傾斜して配置されるため、室内側から屋外側へドレンホースを介してドレン水を円滑に流すことが可能となる。
【００１３】
さらに、エアコン用スリーブは、本体部の周面部に複数の切取用溝部を有し、外方側端部を含む本体部の一部を切取用溝部を境にして切り離すことで、本体部の長さ調整が可能となるので、本体部の長さを実際の壁部の厚さに合わせて調整し、内方側端部または外方側端部が壁部の室内側または屋外側の壁面から過度に突出する事態を回避することができる。
【００１４】
そして、エアコン用スリーブは、内方側端部の径が外方側端部の径よりも大きく形成されていることで、複数のエアコン用スリーブが存在する場合に、これら複数のエアコン用スリーブを、軸方向に沿って互いに入れ子式に積み重ねることが可能となるので、搬送時に占める空間を縮小するとともに、搬送に伴う作業を軽減することができる。
【００１５】
請求項２に記載の考案によれば、本体部の周面部にテーパが付され、全体として円錐台形状をなすことで、複数のエアコン用スリーブを互いに収まりよく、軸方向に沿って積み重ねることが可能となり、搬送時に占める空間の一層の縮小を図ることが可能となる。
【００１６】
請求項３に記載の考案によれば、エアコン用スリーブは、冷媒配管ドレンホース貫通孔に設置された場合に、本体部の外方側端部が内方側端部よりも下方に位置する勾配を有することで、ドレンホースは、エアコン用スリーブの内方に挿通配置された状態で、エアコン用スリーブの下面部に沿って下方に傾斜して配置されるため、エアコン用スリーブに内方におけるドレンホースの姿勢または向きを安定させ、ドレンホースを介するドレン水の流れをより円滑なものとすることが可能となる。
【００１７】
請求項４に記載の考案によれば、本体部の勾配が１５％であることで、本体部の周面部が傾斜することによる効果、つまり、ドレンホースの姿勢または向きを安定させ、ドレン水の流れを円滑なものとする効果をより顕著に得ることができる。
【００１８】
請求項５に記載の考案によれば、切取用溝部の横断面がＶ字状をなすことで、本体部の一部を切取用溝部を境にしてより容易かつ簡単に切り離すことが可能となり、エアコン用スリーブをより便利に使用することができる。
【図面の簡単な説明】
【００１９】
【図１】図１は、本考案の一実施形態に係るエアコン用スリーブの構成を示す断面図である。
【図２】図２は、同上実施形態に係るエアコン用スリーブを壁部の冷媒配管ドレンホース貫通孔に設置した状態を示す概略図である。
【図３】図３は、同上実施形態に係る複数のエアコン用スリーブを入れ子式に積み重ねた状態を示す概略図である。
【図４】図４は、同上実施形態に係るエアコン用スリーブの本体部を切取用溝部で分離した前後の状態（（ａ）分離前の状態、（ｂ）分離後の状態）を示す概略図である。
【図５】図５は、本考案の他の実施形態に係るエアコン用スリーブの構成を示す断面図である。
【図６】図６は、同上実施形態に係るエアコン用スリーブを壁部の冷媒配管ドレンホース貫通孔に設置した状態を示す概略図である。
【考案を実施するための形態】
【００２０】
以下に図面を参照して、本考案の実施の形態について説明する。
【００２１】
図１は、本考案の一実施形態に係るエアコン用スリーブＳの構成を、エアコン用スリーブＳの中心軸Ａに平行な断面で示す。
【００２２】
図２は、本実施形態に係るエアコン用スリーブＳを、空調機（図示せず）を設置する対象である建物の壁部Ｗに設けられた冷媒配管ドレンホース貫通孔Ｈに設置した状態を模式的に示す。
【００２３】
図２を適宜に参照しながら、本実施形態に係るエアコン用スリーブＳについて説明する。
【００２４】
エアコン用スリーブＳは、空調機を設置する際に、壁部Ｗに開設された冷媒配管ドレンホース貫通孔Ｈに設置され、空調機の室内機（図示せず）と室外機とをつなぐドレンホース１０１をその内方に受容する（図２）。冷媒配管ドレンホース貫通孔Ｈは、壁部Ｗを建物の内外に貫通し、室内機から出たドレン水は、ドレンホース１０１を介して壁部Ｗを通過し、屋外に排出される。空調機の設置対象である建物として、例えば、家屋または倉庫を例示することができる。
【００２５】
エアコン用スリーブＳは、本体部１と、フランジ部２とを備える。本実施形態において、エアコン用スリーブＳは、射出成型等により一体に作成されており、エアコン用スリーブＳの材料として適用可能なものとして、プラスチック樹脂を例示することが可能である。
【００２６】
本体部１は、全体として円筒状をなし、内方側端部１１と、内方側端部１１とは軸方向に関して反対側の外方側端部１２とを有する。エアコン用スリーブＳが冷媒配管ドレンホース貫通孔Ｈに設置された状態で、内方側端部１１は、壁部Ｗに対して室内側（つまり、壁部内方側）に配置され、外方側端部１２は、壁部Ｗに対して屋外側（つまり、壁部外方側）に配置される。本実施形態において、内方側端部１１と外方側端部１２とは、いずれも平面に沿って形成され、本体部１は、裁頭円錐状ないし円錐台形状をなす。ここで、内方側端部１１の端面と外方側端部１２の端面とは、互いに平行であり、換言すれば、それらの端面は、互いに平行な面内にあり、向きが互いに反対である。
【００２７】
フランジ部２は、内周側が切除された円盤状ないし円環状をなし、本体部１の壁部内方側の端部、つまり、内方側端部１１に設けられる。フランジ部２は、エアコン用スリーブＳが冷媒配管ドレンホース貫通孔Ｈに設置された状態で、壁部Ｗのうち、冷媒配管ドレンホース貫通孔Ｈを囲む部分、つまり、冷媒配管ドレンホース貫通孔周囲部Ｗａに係止し（図２）、これにより、壁部Ｗに対するエアコン用スリーブＳの相対位置を規制する。本実施形態において、フランジ部２は、壁部内方側に向く表面、つまり、エアコン用スリーブＳが冷媒配管ドレンホース貫通孔Ｈに設置される際に壁部Ｗに接するのとは反対側の表面２ａが内方側端部１１の端面に対して平行であり、特に本実施形態では、フランジ部２の当該表面２ａが内方側端部１１の端面と面一に配置される状態にある。
【００２８】
本体部１は、周面部１ｓが内方側端部１１から外方側端部１２に向けて傾斜する。具体的には、本体部１は、軸方向の中心軸Ａが内方側端部１１の端面およびフランジ部２の壁部内方側に向く表面２ａに対して９０°以外の角度で交差する。本実施形態において、中心軸Ａは、内方側端部１１の中心と外方側端部１２の中心とを結ぶ直線として形成され、本体部１の中心軸Ａが水平に対してなす角度は、１５°である。この場合、中心軸Ａの傾斜する角度が１５°に限定されるものではないことは、勿論である。
さらに、本実施形態では、本体部１のうち、エアコン用スリーブＳが冷媒配管ドレンホース貫通孔Ｈに設置された状態で鉛直上位に位置する上面部１ｂが、鉛直下位に位置する下面部１ａよりも大きな角度で傾斜するとともに、内方側端部１１と外方側端部１２とを対比した場合に、外方側端部１２の下面部１２ａが内方側端部１１の下面部１１ａよりも下方に位置する（図２）。図１は、本体部１の上面部１ｂが水平に対して傾斜する角度をα１により、下面部１ａが水平に対して傾斜する角度をα２により、夫々示す。この場合、本実施の形態にあっては、α１＞α２という関係式が成立する。
【００２９】
さらに、本実施形態において、本体部１は、内方側端部１１の径が外方側端部１２の径よりも大きく設定され、周面部１ｓに対し、内方側端部１１から外方側端部１２に向けて径寸法が次第に小さくなるようにテーパが付されている。具体的には、図１に示すように、本体部１は、内方側端部１１における内周面の径ｄ１が外方側端部１２における外周面の径ｄ２よりも大きく設定されている。従って、本実施の形態にあっては、ｄ１＞ｄ２の関係となる。
【００３０】
本体部１は、さらに、周面部１ｓに、複数の切取用溝部ｇを有する。
【００３１】
切取用溝部ｇは、本体部１の周面部１ｓにその全周に亘って形成され、本体部１の軸方向に沿って複数設けられている。切取用溝部ｇは、本体部１の軸方向における長さ調整を可能とするものであり、本実施形態では、本体部１の厚さを局所的に低減させた脆弱部として形成されている。本実施形態において、切取用溝部ｇは、横断面、つまり、本体部１の中心軸Ａを含む断面がＶ字状をなす。図１は、６つの切取用溝部ｇ（ｇ１〜ｇ６）が設けられた例を示すが、切取用溝部ｇの数は、これに限定されるものではなく、壁部Ｗについて想定される厚さに応じて適宜に設定することが可能である。
【００３２】
図２に示すように、エアコン用スリーブＳは、建物に空調機を設置する際に、建物の壁部Ｗに開設された冷媒配管ドレンホース貫通孔Ｈに設置される。室内機から延びるドレンホース１０１は、エアコン用スリーブＳの内方に挿通配置され、エアコン用スリーブＳを介して壁部Ｗを通過し、室内機から出るドレン水を屋外に排出する。本実施形態において、ドレンホース１０１は、エアコン用スリーブＳの内部で本体部１の下面部１ａに沿って配置される。
その結果、ドレンホース１０１は、エアコン用スリーブＳの内部において、内方側端部１１（下面部１１ａ）から外方側端部１２（下面部１２ａ）にかけて下向きに配置されることとなる。図２は、ドレンホース１０１を介するドレス水の流れの向きを、矢印Ｘにより示す。
【００３３】
本実施形態に係るエアコン用スリーブＳは、以上の構成を有し、以下に、本実施形態により得られる効果について説明する。
【００３４】
第１に、エアコン用スリーブＳは、本体部１の周面部１ｓが内方側端部１１から外方側端部１２に向けて傾斜することで、建物の壁部Ｗに設けられた冷媒配管ドレンホース貫通孔Ｈに設置された状態、具体的には、エアコン用スリーブＳのフランジ部２が壁部Ｗの冷媒配管ドレンホース貫通孔周囲部Ｗａを係止する状態で配置された場合に、本体部１、特にその周面部１ｓが室内側から屋外側に向けて下方に傾斜する。これにより、ドレンホース１０１は、エアコン用スリーブＳの内方に挿通配置された場合に、エアコン用スリーブＳの内周面に沿って下方に傾斜して配置されることとなり、ドレン水の排出に際して重力の作用を有効に活用することが可能となるため、室内側から屋外側へドレンホース１０１を介してドレン水を円滑に流すことができる。
【００３５】
そして、エアコン用スリーブＳは、内方側端部１１の径（内周面の径ｄ１）が外方側端部１２の径（外周面の径ｄ２）よりも大きく形成されていることで、複数のエアコン用スリーブＳが存在する場合に、これら複数のエアコン用スリーブＳを互いに入れ子式に積み重ねることが可能となるので、搬送時に占める空間を縮小するとともに、搬送に伴う作業を軽減することができる。
【００３６】
図３は、本実施形態に係る複数のエアコン用スリーブＳを軸方向に沿って入れ子式に積み重ねた状態を示す。このように、本実施形態によれば、複数のエアコン用スリーブＳを入れ子式に積み重ねた状態で搬送することが可能となるので、個々のエアコン用スリーブＳを個別に収納して搬送する場合と対比して、より小さな空間に収めて搬送することが可能であるとともに、積み込み等の作業を個別に行う場合と対比して、より少ない労力で作業を完了することができる。
【００３７】
ここで、本体部１の周面部１ｓにテーパが付され、本体部１が全体として円錐台形状をなすことで、複数のエアコン用スリーブＳを互いに収まりよく積み重ねることが可能となり、搬送時に占める空間の一層の縮小を図ることが可能となる。
【００３８】
第２に、エアコン用スリーブＳは、本体部１の周面部１ｓに複数の切取用溝部ｇを有し、外方側端部１２を含む本体部１の一部を切取用溝部ｇを境にして切り離すことで、本体部１の長さ調整が可能となるので、本体部１の長さを実際の壁部Ｗの厚さに合わせて調整し、内方側端部１１または外方側端部１２が壁部Ｗの室内側または屋外側の壁面から過度に突出する事態を回避することができる。
【００３９】
図４は、本実施形態に係るエアコン用スリーブＳの本体部１を、内方側端部１１に最も近い第１切取用溝部ｇ１から数えて４つ目の第４切取用溝部ｇ４で分離した前後の状態を示す。図４（ａ）は、分離前のエアコン用スリーブＳの状態を、厚さｗ１の壁部Ｗに設けられた冷媒配管ドレンホース貫通孔Ｈに設置した状態で示し、図４（ｂ）は、分離後のエアコン用スリーブＳの状態を、同図（ａ）に示す厚さｗ１よりも小さな厚さｗ２の壁部Ｗに設けられた冷媒配管ドレンホース貫通孔Ｈに設置した状態で示す。
【００４０】
第３に、エアコン用スリーブＳは、冷媒配管ドレンホース貫通孔Ｈに設置された場合に、本体部１が水平に対して傾斜し、外方側端部１２が内方側端部１１よりも相対的に下方に位置することで、ドレンホース１０１は、エアコン用スリーブＳの内方に挿通配置された状態で、エアコン用スリーブＳの下面部１ａに沿って下方に傾斜して配置されるため、エアコン用スリーブＳに内方におけるドレンホース１０１の姿勢または向きを安定させ、ドレンホース１０１を介するドレン水の流れをより円滑なものとすることが可能となる。
【００４１】
ここで、本体部１の水平に対して傾斜する角度、つまり、勾配が１５％であることにより、本体部１の周面部１ｓが傾斜することによる効果として、ドレンホース１０１の姿勢または向きを安定させ、ドレンホース１０１を介するドレン水の流れを円滑なものとすることができる。
【００４２】
第４に、切取用溝部ｇの横断面がＶ字状をなすことで、本体部１の一部を切取用溝部ｇを境にしてより容易かつ簡単に、本実施形態においては手でも切り離すことが可能となり、現場での適宜の長さ調整を可能として、エアコン用スリーブＳをより便利に使用することができる。
【００４３】
本実施形態では、本体部１の周面部１ｓに対し、フランジ部２が壁部Ｗの冷媒配管ドレンホース貫通孔周囲部Ｗａに係止する状態で、本体部１の内方側端部１１から外方側端部１２にかけて下向きの傾斜を付し、外方側端部１２の下面部１２ａが内方側端部１１の下面部１１ａよりも下方に位置するように構成した。
【００４４】
しかし、本体部１の周面部１ｓに付する傾斜は、これに限定されるものではなく、フランジ部２が壁部Ｗの冷媒配管ドレンホース貫通孔周囲部Ｗａに係止する状態で、外方側端部１２の上面部１２ｂが内方側端部１１の上面部１１ｂよりも下方に位置するものであってもよいし、外方側端部１２の下面部１２ａ、上面部１２ｂが夫々、内方側端部１１の下面部１１ａ、上面部１１ｂよりも下方に位置するものであってもよい。
即ち、本体部１の傾斜は、上面部１ｂの傾斜として具現されてもよいし、下面部１ａの傾斜として具現されてもよいし、上面部１ｂおよび下面部１ａ双方の傾斜として具現されてもよい。先の実施形態に係るエアコン用スリーブＳ（図１）は、本体部１の傾斜を上面部１ｂおよび下面部１ａ双方の傾斜として具現した場合の例である。
【００４５】
図５は、本考案の他の実施形態に係るエアコン用スリーブＳ’の構成を、図１と同様にエアコン用スリーブＳ’の中心軸Ａ’に平行な断面で示す。
【００４６】
図６は、本実施形態に係るエアコン用スリーブＳ’を建物の壁部Ｗに設けられた冷媒配管ドレンホース貫通孔Ｈに設置した状態を模式的に示す。
【００４７】
本実施形態では、先の実施形態と同様に、本体部１の中心軸Ａ’が内方側端部１１の端面およびフランジ部２の壁部内方側に向く表面２ａに対して９０°以外の角度で交差し（図５）、エアコン用スリーブＳ’が壁部Ｗの冷媒配管ドレンホース貫通孔Ｈに設置された状態で、中心軸Ａ’が水平に対して下方に傾斜する（図６）。さらに、本体部１の上面部１ｂが下面部１ａよりも大きな角度で傾斜することも、先の実施形態と同様である。
【００４８】
ここで、本実施形態では、内方側端部１１と外方側端部１２とを対比した場合に、図６に示すように、下面部１ａが内方側端部１１の端面に対して垂直に延在する状態にあって、外方側端部１２の下面部１２ａと内方側端部１１の下面部１１ａとが同じ高さに位置する一方、本体部１の上面部１ｂが内方側端部１１から外方側端部１２にかけて下向きに傾斜し、外方側端部１２の上面部１２ｂが内方側端部１１の上面部１１ｂよりも下方に位置するように形成されている。
【００４９】
このように、本体部１の上面部１ｂが下向きに傾斜することで、空調機を設置する際に、ドレンホース１０１をエアコン用スリーブＳ’の内部で本体部１の上面部１ｂに沿って配置し、ドレンホース１０１の傾斜を確保することが可能となる。図６は、ドレンホース１０１を介するドレス水の流れの向きを、矢印Ｘにより示す。
【００５０】
これにより、本実施形態によれば、室内機から出るドレン水をドレンホース１０１により案内するとともに、壁部Ｗを通過させる際にドレン水に働く重力の作用を友好に活用することが可能となるため、室内側から屋外側へドレンホース１０１を介してドレン水を円滑に流すことができる。
【００５１】
さらに、内方側端部１１の径が外方側端部１２の径よりも大きく形成されていることで、複数のエアコン用スリーブＳが存在する場合に、これら複数のエアコン用スリーブＳを互いに入れ子式に積み重ね、搬送時に占める空間を縮小するとともに、搬送に伴う作業を軽減することが可能である。
【符号の説明】
【００５２】
Ｓ、Ｓ’…エアコン用スリーブ
１…本体部
１ａ…下面部
１ｂ…上面部
１ｓ…周面部
１１…内方側端部
１２…外方側端部
１１ａ…内方側端部の下面部
１２ａ…外方側端部の下面部
１１ｂ…内方側端部の上面部
１２ｂ…外方側端部の上面部
２…フランジ部
２ａ…フランジ部の表面
１０１…ドレンホース
ｇ…切取用溝部
Ａ、Ａ’…エアコン用スリーブの中心軸
Ｗ…壁部
Ｗａ…壁部の冷媒配管ドレンホース貫通孔周囲部
Ｈ…冷媒配管ドレンホース貫通孔
【図１】
0003235418.tif 000003
【図２】
0003235418.tif 000004
【図３】
0003235418.tif 000005
【図４】
0003235418.tif 000006
【図５】
0003235418.tif 000007
【図６】
0003235418.tif 000008